(57)【要約】      （修正有）【課題】ユーザがストレスを感じない態様で動画広告を提供する。【解決手段】動画広告配信サーバは上下方向に連続し画面幅で表示される複数の見出枠を含む閲覧ページの表示プログラムを配信する手段と動画広告の再生状況監視手段とを備え、見出枠が画像表示枠と個別タイトル部とを備え、見出枠の一部が画像表示枠に動画広告が表示される広告枠であり、広告枠が広告枠を拡大する拡大操作部を含み、前記プログラムが表示される広告枠の画像表示枠の面積が予め定められた割合以上であることを検出して動画広告を自動再生させる手段と、自動再生後タッチディスプレイ内に表示される広告枠の画像表示枠の面積が予め定められた割合以下となったことを検出した場合に動画広告の再生を停止させる手段と、拡大された画像表示枠の下方に広告ページへのリンクが付された広告記事を表示させる手段と、拡大された広告枠を拡大前の大きさに縮小して表示させる手段とを備える。【選択図】図３
2018022995.tif 000002
【特許請求の範囲】
【請求項１】
インターネットを介してアクセスした、タッチディスプレイを有するユーザ端末に動画広告を含むウェブページを配信するサーバにおいて、
上下方向に連続し、画面幅で表示される複数の見出枠を含む閲覧ページの表示プログラムを配信するコンテンツ配信手段と、
動画広告の再生開始回数および／または完全視聴回数をカウントする再生状況監視手段と、を備え、
前記見出枠が、画像表示枠と、画像表示枠の横に表示される個別タイトル部とを備え、
前記見出枠が、前記画像表示枠に動画広告が表示される広告枠を含み、
前記広告枠が、前記広告枠を拡大する拡大操作部を含み、
前記閲覧ページの表示プログラムが、
前記タッチディスプレイ内に表示される前記広告枠の前記画像表示枠の面積が、予め定められた割合以上であることを検出して前記動画広告を自動再生させる自動再生手段と、
前記自動再生後、前記タッチディスプレイ内に表示される前記広告枠の前記画像表示枠の面積が、予め定められた割合以下となったことを検出した場合に前記動画広告の再生を停止させる再生停止手段と、
前記拡大操作部をユーザがタップすると前記画像表示枠が画面幅に拡大し、拡大された画像表示枠の下方に広告ページへのリンクが付された広告記事および縮小操作部を表示させる拡大表示手段と、
前記縮小操作部をユーザがタップすると拡大された広告枠を拡大前の大きさに縮小して表示させる縮小表示手段と、
を備えることを特徴とする動画広告配信サーバ。
【請求項２】
前記広告枠を含む複数の見出枠の上下高さが、いずれも同幅であることを特徴とする請求項１に記載の動画広告配信サーバ。
【請求項３】
前記拡大表示手段が、前記拡大操作部をユーザがタップした時点で前記動画広告が再生されていた場合に、当該タップした時点の再生位置から拡大後の動画広告の再生を開始することを特徴とする請求項１または２に記載の動画広告配信サーバ。
【請求項４】
前記広告枠内の全部が前記拡大操作部を構成すること、および／または、
前記広告枠内の全部が前記縮小操作部を構成することを特徴とする請求項１ないし３のいずれかに記載の動画広告配信サーバ。
【請求項５】
前記広告枠内に前記拡大操作部を構成するボタンを表示すること、および／または、
前記広告枠内に前記縮小操作部を構成するボタンを表示することを特徴とする請求項１ないし３のいずれかに記載の動画広告配信サーバ。
【請求項６】
拡大された広告枠がスクリーンアウトしたことを検出し、当該広告枠の表示ステータスを拡大表示から縮小表示に更新し、当該広告枠が再びスクリーンインした際に縮小表示された広告枠を表示させる、
拡大された広告枠がスクリーンアウトしたことを検出し、さらに予め定められた方向に予め定められたドット以上のスクロール動作がされた場合に当該広告枠の表示ステータスを拡大表示から縮小表示に更新し、当該広告枠が再びスクリーンインした際に縮小表示された広告枠を表示させる、または、
拡大された広告枠がスクリーンアウトしたことを検出し、さらにスクリーンアウトの状態が予め定められた時間以上継続した場合に当該広告枠の表示ステータスを拡大表示から縮小表示に更新し、当該広告枠が再びスクリーンインした際に縮小表示された広告枠を表示させる自動縮小手段を備えることを特徴とする請求項１ないし５のいずれかに記載の動画広告配信サーバ。
【請求項７】
前記広告枠の動画広告が完全視聴されたことを検出し、当該広告枠が拡大されている場合には当該広告枠を縮小表示させる視聴後縮小手段を備えることを特徴とする請求項１ないし６のいずれかに記載の動画広告配信サーバ。
【請求項８】
前記閲覧ページの表示プログラムが、前記ユーザ端末にインストールされるアプリケーションに含まれることを特徴とする請求項１ないし７のいずれかに記載の動画広告配信サーバ。
【請求項９】
請求項８に記載のアプリケーションがインストールされたことを特徴とするタッチディスプレイを有するユーザ端末。
【請求項１０】
インターネットを介してアクセスした、タッチディスプレイを有するユーザ端末に動画広告を含むウェブページを配信するサーバ用の動画広告配信プログラムにおいて、
前記サーバを、上下方向に連続し、画面幅で表示される複数の見出枠を含む閲覧ページの表示プログラムを配信するコンテンツ配信手段、
動画広告の再生開始回数および／または完全視聴回数をカウントする再生状況監視手段、として機能させること、
前記見出枠が、画像表示枠と、画像表示枠の横に表示される個別タイトル部とを備え、
前記見出枠が、前記画像表示枠に動画広告が表示される広告枠を含み、
前記広告枠が、前記広告枠を拡大する拡大操作部を含み、
前記閲覧ページの表示プログラムが、
前記タッチディスプレイ内に表示される前記広告枠の前記画像表示枠の面積が、予め定められた割合以上であることを検出して前記動画広告を自動再生させる自動再生手段と、
前記自動再生後、前記タッチディスプレイ内に表示される前記広告枠の前記画像表示枠の面積が、予め定められた割合以下となったことを検出した場合に前記動画広告の再生を停止させる再生停止手段と、
前記拡大操作部をユーザがタップすると前記画像表示枠が画面幅に拡大し、拡大された画像表示枠の下方に広告ページへのリンクが付された広告記事および縮小操作部を表示させる拡大表示手段と、
前記縮小操作部をユーザがタップすると拡大された広告枠を拡大前の大きさに縮小して表示させる縮小表示手段と、
を備えることを特徴とする動画広告配信サーバ用プログラム。
【発明の詳細な説明】
【技術分野】
【０００１】
本発明は、タッチディスプレイを備えたポータブル電子装置（例えば、スマートフォンやタブレット）において、ユーザビリティを損なわずに動画広告を配信する動画広告配信サーバおよびプログラムに関する。本明細書における「動画広告」には、営利用途の動画広告のみならず、非営利用途の動画も含まれるものとする。
【背景技術】
【０００２】
従来、インターネットの検索サイトで入力された検索キーワードに関連する広告を表示させる広告手法（例えば、リスティング広告）が知られている。また、ユーザが過去に閲覧したウェブページのコンテンツと適合性が高い広告を表示するインタレストマッチ広告が知られている（特許文献１）。
【０００３】
近年、液晶パネルなどにユーザの指の位置を検出する機能を持たせたタッチディスプレイを備えたポータブル電子装置が広く販売されているが、このような電子装置の画面領域は狭いため、広告表示には工夫が必要である。例えば、特許文献２の図５には、広告をオーバーレイで表示させる態様が例示され、同図６では広告をタイムライン上の記事として表示させる態様が例示されている。
【先行技術文献】
【特許文献】
【０００４】
【特許文献１】特開２０１０−２７０８６号公報
【特許文献２】特開２０１４−７５００６号公報
【発明の概要】
【発明が解決しようとする課題】
【０００５】
従来の広告システムは、いわゆるアフリエイト広告を念頭においたものが多く、ランディングページへの遷移率を高めることが重要であった。
しかしながら、興味がある記事を読んでいる最中に他のサイトへ意図しない遷移が生じることは、ユーザのストレスとなっていた。ユーザが広告にストレスを感じない、リピート率の高いＷｅｂサイトの構築が求められている。
【０００６】
近年、通信環境やハードウェアの進展に伴い、ポータブル電子装置を対象としたＷｅｂサイトでも、動画広告の配信が増えている。動画広告についてもユーザがストレスを感じない態様で配信することが求められている。
【０００７】
そこで、本発明では、ユーザがストレスを感じない態様で動画広告を提供することを可能とする動画広告配信サーバおよびプログラムを提供することを目的とする。
【課題を解決するための手段】
【０００８】
本発明の動画広告配信サーバは、インターネットを介してアクセスした、タッチディスプレイを有するユーザ端末に動画広告を含むウェブページを配信するサーバにおいて、
上下方向に連続し、画面幅で表示される複数の見出枠を含む閲覧ページの表示プログラムを配信するコンテンツ配信手段と、
動画広告の再生開始回数および／または完全視聴回数をカウントする再生状況監視手段と、を備え、
前記見出枠が、画像表示枠と、画像表示枠の横に表示される個別タイトル部とを備え、
前記見出枠が、前記画像表示枠に動画広告が表示される広告枠を含み、
前記広告枠が、前記広告枠を拡大する拡大操作部を含み、
前記閲覧ページの表示プログラムが、
前記タッチディスプレイ内に表示される前記広告枠の前記画像表示枠の面積が、予め定められた割合以上であることを検出して前記動画広告を自動再生させる自動再生手段と、
前記自動再生後、前記タッチディスプレイ内に表示される前記広告枠の前記画像表示枠の面積が、予め定められた割合以下となったことを検出した場合に前記動画広告の再生を停止させる再生停止手段と、
前記拡大操作部をユーザがタップすると前記画像表示枠が画面幅に拡大し、拡大された画像表示枠の下方に広告ページへのリンクが付された広告記事および縮小操作部を表示させる拡大表示手段と、
前記縮小操作部をユーザがタップすると拡大された広告枠を拡大前の大きさに縮小して表示させる縮小表示手段と、
を備えることを特徴とする。
【０００９】
上記動画広告配信サーバにおいて、前記広告枠を含む複数の見出枠の上下高さが、いずれも同幅であることを特徴としてもよい。
上記動画広告配信サーバにおいて、前記拡大表示手段が、前記拡大操作部をユーザがタップした時点で前記動画広告が再生されていた場合に、当該タップした時点の再生位置から拡大後の動画広告の再生を開始することを特徴としてもよい。
上記動画広告配信サーバにおいて、前記広告枠内の全部が前記拡大操作部を構成すること、および／または、前記広告枠内の全部が前記縮小操作部を構成することを特徴としてもよい。
上記動画広告配信サーバにおいて、前記広告枠内に前記拡大操作部を構成するボタンを表示すること、および／または、前記広告枠内に前記縮小操作部を構成するボタンを表示することを特徴としてもよい。
【００１０】
上記動画広告配信サーバにおいて、拡大された広告枠がスクリーンアウトしたことを検出し、当該広告枠の表示ステータスを拡大表示から縮小表示に更新し、当該広告枠が再びスクリーンインした際に縮小表示された広告枠を表示させる、
拡大された広告枠がスクリーンアウトしたことを検出し、さらに予め定められた方向に予め定められたドット以上のスクロール動作がされた場合に当該広告枠の表示ステータスを拡大表示から縮小表示に更新し、当該広告枠が再びスクリーンインした際に縮小表示された広告枠を表示させる、または、
拡大された広告枠がスクリーンアウトしたことを検出し、さらにスクリーンアウトの状態が予め定められた時間以上継続した場合に当該広告枠の表示ステータスを拡大表示から縮小表示に更新し、当該広告枠が再びスクリーンインした際に縮小表示された広告枠を表示させる自動縮小手段を備えることを特徴としてもよい。
上記動画広告配信サーバにおいて、前記広告枠の動画広告が完全視聴されたことを検出し、当該広告枠が拡大されている場合には当該広告枠を縮小表示させる視聴後縮小手段を備えることを特徴としてもよい。
上記動画広告配信サーバにおいて、前記閲覧ページの表示プログラムが、前記ユーザ端末にインストールされるアプリケーションに含まれることを特徴としてもよい。
本発明のタッチディスプレイを有するユーザ端末は、前記アプリケーションがインストールされたことを特徴とする。
【００１１】
本発明の動画広告配信サーバ用プログラムは、インターネットを介してアクセスした、タッチディスプレイを有するユーザ端末に動画広告を含むウェブページを配信するサーバ用の動画広告配信プログラムにおいて、
前記サーバを、上下方向に連続し、画面幅で表示される複数の見出枠を含む閲覧ページの表示プログラムを配信するコンテンツ配信手段、
動画広告の再生開始回数および／または完全視聴回数をカウントする再生状況監視手段、として機能させること、
前記見出枠が、画像表示枠と、画像表示枠の横に表示される個別タイトル部とを備え、
前記見出枠が、前記画像表示枠に動画広告が表示される広告枠を含み、
前記広告枠が、前記広告枠を拡大する拡大操作部を含み、
前記閲覧ページの表示プログラムが、
前記タッチディスプレイ内に表示される前記広告枠の前記画像表示枠の面積が、予め定められた割合以上であることを検出して前記動画広告を自動再生させる自動再生手段と、
前記自動再生後、前記タッチディスプレイ内に表示される前記広告枠の前記画像表示枠の面積が、予め定められた割合以下となったことを検出した場合に前記動画広告の再生を停止させる再生停止手段と、
前記拡大操作部をユーザがタップすると前記画像表示枠が画面幅に拡大し、拡大された画像表示枠の下方に広告ページへのリンクが付された広告記事および縮小操作部を表示させる拡大表示手段と、
前記縮小操作部をユーザがタップすると拡大された広告枠を拡大前の大きさに縮小して表示させる縮小表示手段と、
を備えることを特徴とする。
【発明の効果】
【００１２】
本発明によれば、ユーザがストレスを感じない態様で動画広告を提供することを可能とする動画広告配信サーバおよびプログラムを提供することが可能となる。
【図面の簡単な説明】
【００１３】
【図１】実施形態例に係る動画広告配信システムの構成図である。
【図２】実施形態例に係るＷｅｂサイトの閲覧ページである。
【図３】広告枠内をタップすることで拡大表示された様子を説明する変形例である。
【図４】広告枠内をタップすることで拡大表示された様子を説明する他の変形例である。
【発明を実施するための形態】
【００１４】
＜構成＞
実施形態例に係る本発明の動画広告配信システムは、図１に示すように、コンテンツ配信サーバ１と、複数台のユーザ端末２とを備えて構成される。
コンテンツ配信サーバ１は、ＣＰＵを有する制御部、ＨＤＤを有する記憶部、および、ＬＡＮポートを有する通信部を備えたサーバ装置にコンテンツ配信ソフトウェアおよびデータベースソフトウェアをインストールして構築されている。コンテンツ配信ソフトウェアは、閲覧ページ配信手段と、再生状況監視手段とを備えている。
【００１５】
閲覧ページ配信手段は、コンテンツ提供サイトにＷｅｂブラウザでアクセスしたユーザに閲覧ページの表示プログラムを配信するサーバ用プログラムであり、例えば、Ｊａｖａ Ｓｅｒｖｌｅｔ（登録商標）で作成される。閲覧ページの表示プログラムは、ブログや特集記事等のコンテンツと共に広告記事がいわゆるネイティブ形式でユーザ端末２に表示させる。閲覧ページの表示プログラムは、例えば、ＪａｖａＳｃｒｉｐｔ（登録商標）で作成される。
【００１６】
再生状況監視手段は、閲覧ページの表示プログラムと連携して動画広告の再生開始回数および動画広告が最後まで再生された回数をカウントし、データベースに記録する。動画広告によっては、完全視聴をしないと広告情報を看取できないストーリーであったり、課金が完全視聴と紐付いていたりする場合もあるので、最後まで再生された回数をカウントする手段を設けることは重要である。
なお、図１の例では、コンテンツ配信サーバ１を１台で構成する例を説明したが、複数台のサーバによりコンテンツ配信サーバ１を実現することも可能である。
【００１７】
ユーザ端末２は、例えば、スマートフォン、タブレット端末（タブレットＰＣ）、ノートパソコン、デスクトップパソコンなどのＷｅｂブラウザが搭載されたコンピュータである。ユーザ端末２の種類は特に限定されないが、本発明により実現されるユーザインターフェースは、タッチディスプレイを備えたポータブル電子装置において有利な効果を奏し、主として片手で操作されるポータブル電子装置において特に有利な効果を奏する。
【００１８】
閲覧ページを表示するためのＷｅｂブラウザは汎用的なもので足り、例えば、インターネットエクスプローラー、サファリ、クローム、アンドロイドブラウザ、オペラを含む。ただし、Ｗｅｂブラウザは、汎用Ｗｅｂブラウザに限定されるものではなく、ユーザ端末２にダウンロードしてインストールされるアプリケーション（ブラウジング専用以外のものを含む）に組み込まれたＷｅｂブラウザも含まれる。この場合、閲覧ページの表示プログラムは、アプリケーション側に実装される場合もある。
本発明では、ユーザの閲覧履歴を利用しないので、クッキー（Ｃｏｏｋｉｅ）の設定は無効とされていてもよい。
【００１９】
以下では、コンテンツ配信サーバ１が提供するコンテンツ提供サイト（Ｗｅｂサイト）に、スマートフォンでアクセスした場合の動作例を説明する。このスマートフォンは、アンドロイドやｉＯＳなどの汎用的なオペレーティングシステム（ＯＳ）が稼働しており、汎用的なＷｅｂブラウザを搭載している。
【００２０】
図２は、実施形態例に係るＷｅｂサイトの閲覧ページ２０である。閲覧ページ２０は、最上部にナビゲーション部２１が表示されており、その下方には、タイトル部２２、インフィード枠２３の順で表示されるレイアウトとなっている。
タイトル部２２には、見出枠２４のコンテンツを総括するタイトル（テキスト）が表示される。
インフィード枠２３には、上下方向に連続表示される複数の記事（コンテンツおよび広告）の見出枠２４が表示される。インフィード枠２３に表示される見出枠２４の数は、表示する端末の画面解像度により異なるが、３つ以上の見出枠２４を常時表示させることが好ましい。ユーザがスクロール動作（例えば、ディスプレイ上で指をスライドさせる動作）をするとインフィード枠２３内の見出枠２４がスクロールされる。
【００２１】
見出枠２４は、対応するページで内使用されている画像の縮小画像等を表示する画像表示枠２４１と、誘導メッセージを表示する個別タイトル部２４２を備えている。見出枠２４ａ〜２４ｄの上下高さはいずれも同幅に構成されており、各見出枠２４内の任意の場所をタップすると拡大表示される仕様である（拡大表示の詳細は図３を参照しながら後述する。）。
図２では、見出枠２４ａ〜２４ｃがコンテンツページのダイジェストを表示し、見出枠２４ｄが動画広告ページのダイジェストを表示している。以下では、動画広告ページのダイジェストを表示する見出枠を広告枠という場合がある。
【００２２】
見出枠２４ａ〜２４ｃの画像表示枠２４１ａ〜２４１ｃは静止画であるが、見出枠２４ｄの画像表示枠２４１ｄは動画であり、例えばスプライト描画により表示される。画像表示枠２４１ｄで動画が自動再生される点を除くと、見出枠２４ａ〜２４ｃと見出枠２４ｄのデザインは実質的に同一であり、いわゆるネイティブ広告を実現している。従来は、例えばバナー広告を消すための操作（例えば、閉じるボタンのタップ）が必要になるなど、閲覧時にストレスを感じていたが、ネイティブ広告を提供する本発明ではそのようなストレスは最小限である。
【００２３】
見出枠２４ａ〜２４ｃの個別タイトル部２４２ａ〜２４２ｃは、対応するページの個別タイトルと共に「ブログ」、「特集」などのカテゴリ表示をすることで、コンテンツの種別を一瞥して判別可能としている。
見出枠２４ｄの個別タイトル部２４２ｄは、対応するページの個別タイトルと共に「［ＰＲ］ＸＹＺ  ｃｏｍｐａｎｙ」、「Ａｄｓ  ｂｙ  ＸＹＺ  ｃｏｍｐａｎｙ」などの表示をすることで、広告ページであることを一瞥して判別可能としている。
図２では見出枠２４ａ〜２４ｄに文章２行とカテゴリ１行の合計３行を表示する仕様としているが、これに限定されず、例えば合計４〜８行であってもよい。
【００２４】
見出枠２４の右下には、見出枠２４を拡大するための拡大操作部を構成する拡大ボタン２４３が表示されている。拡大ボタン２４３をタップすると見出枠２４の上下高さが拡大する。ただし、実施形態例では、見出枠２４内の任意の場所をタップしても拡大される仕様としている。これとは異なり、動画の画像表示枠２４１を１回タップすると動画の再生が停止し、見出枠２４内の任意の場所を２回タップすると拡大される仕様としてもよい。
図２に示す拡大ボタン２４３のデザインは単なる例示に過ぎず、他のデザインを採用することも当然可能である。また、拡大ボタン２４３そのものを見出枠２４に表示しない仕様としてもよい（この場合、見出枠２４内の全てが拡大操作部となる。）。
【００２５】
＜動作＞
ユーザが、ユーザ端末２のブラウザによりコンテンツ配信サーバ１が配信する閲覧ページ２０にアクセスすると、ナビゲーション部２１、タイトル部２２およびインフィード枠２３が表示される。
インフィード枠２３内には複数の見出枠２４が表示されている。見出枠２４のうち、広告ページを表示する見出枠の画像表示枠２４１の面積の一定割合以上（例えば５０％以上）が画面内に表示されると（以下、この状態を「スクリーンイン」という）、動画広告の冒頭から所定の秒数（例えば、５秒）までの内容のループ再生が開始される。なお、ループ再生に代えて１回のみ再生する仕様とすることも当然に可能である。
【００２６】
ユーザが画面をスクロールし、ユーザ端末２の画面表示される画像表示枠２４１の面積が５０％未満となると、ループ再生は停止される（以下、この状態を「スクリーンアウト」という）。スクリーンアウトされた画像表示枠２４１が、再びスクリーンインの状態になると、ループ再生が開始される。この際、スクリーンアウトの時点における再生位置から再生を再開してもよいし、最初から再生を開始してもよい。また、予め設定した時間（例えば、３秒）を経過した場合には最初から再生を開始し、予め設定した時間以内にスクリーンインの状態に戻った場合にはスクリーンアウトの時点における再生位置から再生を再開するようにしてもよい。
【００２７】
図３は、広告枠内をタップすることで拡大表示された様子を説明する変形例である。
図３の左図では、非拡大時の広告枠２４を点線で囲って表示している。この広告枠２４は、個別タイトル部２４２の上段に広告枠であることを示す「Ａｄｓ  ｂｙ  ＮＡＴＩＶＥＴＡＰ」の表示があり、下段にブランド名「＠ｃｏｓｍｅ  ｓｔｏｒｅ」の表示がある。画像表示枠２４１は、略正方形のもの、長方形のもの、円形のものが混在しているが、画面２／３以下（好ましくは半分以下）収まるようにしている。変形例では、画像表示枠２４１の縦横比を１６：９としているが、この比率に限定されず、任意の比率とすることができる。
【００２８】
図３の右図では、拡大時の広告枠２５を点線で囲って表示している。広告枠２４がタップされると、画像表示枠２５１の左右幅が画面幅に拡大され、上下高さは縦横比１６：９を維持する高さに拡大される。広告枠２４のタップ時に動画広告が再生されている場合は、拡大後もタップ時の再生位置から動画広告が再生される。動画広告では文字以外の情報（例えば、登場人物の表情）を伝達することも重要となる場合があるところ、表示領域全幅にわたる動画表示枠を提供することで、文字以外の情報を高いレベルで伝達することを可能としている。
【００２９】
画像表示枠２５１の直下には、個別タイトル部２５２が表示される。個別タイトル部２５２に表示される内容は、個別タイトル部２４２に表示される内容と一致させてもよいし、一致させなくてもよい。個別タイトル部２５２の直下には、広告記事部２５４が表示される。広告記事部２５４の左右幅は画面幅であり、上下高さは広告記事部２５４に記載されるテキスト文字数により決せられる。ただし、広告記事部２５４の上下高さを無制限に拡大可能とするとユーザにストレスを与える蓋然性があるため、例えば、見出枠２４の上下高さの５倍以下（好ましくは４倍以下）を上限値に設定したり、画像表示枠２５１の上下高さと同じ高さを上限値に設定したりすることにより、ユーザのストレスを軽減することが開示される。
【００３０】
広告記事部２５４の任意の場所をタップすると、当該広告の提供者が運営するランディングページへと遷移する。別の言い方をすれば、広告枠２４をタップしただけではランディングページへの遷移は開始されないので、ユーザはストレスを感じること無く広告枠２４をタップすることが可能であり、また間違えてタップした場合にもストレスを感じさせないようにしている。すなわち、ユーザは拡大された広告枠２５に表示された広告記事部２５４の記事を読み、当該広告に興味を持った場合はランディングページへ遷移し、興味を持たなかった場合は広告枠２５を縮小またはスクリーンアウトして次の見出枠２４を閲覧することが可能となっている。
【００３１】
広告記事部２５４の右下の隅部には縮小操作部を構成する縮小ボタン２５３が表示されている。縮小ボタン２５３をタップすると広告枠２５が縮小し、図３の左図の状態になる。拡大した広告枠内の任意の場所をタップしても縮小される仕様としてもよいし、さらに、縮小ボタン２５３そのものを広告枠２５に表示しない仕様としてもよい（この場合、広告枠２５内の全てが縮小操作部となる。）。
【００３２】
スクリーンアウトの状態で再生が停止する点は、拡大された広告枠２５も、非拡大時の広告枠２４と同様である。ここで、スクリーンアウトにより自動で広告枠２５が縮小する仕様、スクリーンアウト後さらに所定ドット以上のスクロールが行われた場合に自動で広告枠２５が縮小する仕様、或いは、スクリーンアウト後、予め設定した時間を経過した場合には、自動で広告枠２５が縮小する仕様を採用してもよい。さらには、動画広告の完全視聴をトリガーとして、自動で広告枠２５が縮小する仕様を組み合わせてもよい。
【００３３】
図４は、広告枠内をタップすることで拡大表示された様子を説明する他の変形例である。広告記事部２５４の直下には、ランディングページへのリンクが張られた誘導部２５５が配置されている。角丸長方形の誘導部２５５内には「詳細はコチラ」の文字が表示されていることから、ユーザはランディングページへの遷移を予測した上で誘導部２５５をタップすると推察される（すなわち、不測の遷移によるストレスを防ぐことができる。）。
誘導部２５５の右下の隅部に表示された縮小ボタン２５３をタップすると広告枠２５が縮小する点は、図３と同様である。
なお、図４に示す誘導部２５５内のメッセージは一例に過ぎず、例えば、「ダウンロードはこちら」、「さっそくチェック」、「コールセンターへ電話をする」などの任意のメッセージを表示できることは言うまでもない。ここで重要なことは、ユーザがタップ後の遷移を予測可能なメッセージを誘導部２５５内に表示し、不測の遷移によるストレスを防ぐことである。
【００３４】
以上に説明した実施形態例および変形例の動画広告配信システムによれば、ユーザはストレスを感じること無く、広告を含む閲覧ページを閲覧することが可能となる。本システムは、アフリエイト広告を念頭においておらず、ランディングページへの遷移率を高めることを目的としていないため、広告を縮小したり、スクリーンアウトしたりするためのユーザの操作負荷が最小限である（すなわち、親指のみの操作で広告の表示態様をコントロールできる。）。別の観点からは、ユーザがストレス無く広告を目にするので、いわゆる認知広告の手段としての利用することも考えられる。
【００３５】
以上、本発明の好ましい実施形態例について説明したが、本発明の技術的範囲は上記実施形態の記載に限定されるものではない。上記実施形態例には様々な変更・改良を加えることが可能であり、そのような変更または改良を加えた形態のものも本発明の技術的範囲に含まれる。
【符号の説明】
【００３６】
１  コンテンツ配信サーバ
２  ユーザ端末  
２０  閲覧ページ
２１  ナビゲーション部
２２  タイトル部
２３  インフィード枠
２４  見出枠
２５  （拡大時の）広告枠
２４１  画像表示枠
２４２  個別タイトル部
２４３  拡大ボタン
２５１  画像表示枠
２５２  個別タイトル部
２５３  縮小ボタン
２５４  広告記事部
【図１】
2018022995.tif 000003
【図２】
2018022995.tif 000004
【図３】
2018022995.tif 000005
【図４】
2018022995.tif 000006